(57)【特許請求の範囲】
【請求項１】
前面に開口する断熱壁内に陳列室が構成され、該陳列室の開口上部の吐出口から冷気を吐出し、開口下部の吸込口から吸い込むことにより、当該陳列室の開口に冷気エアーカーテンを構成して成るオープンショーケースにおいて、
前記陳列室の底板と、
該底板と前記断熱壁との間に構成され、前記吸込口に連通するダクトと、
前記底板の前側に位置して前記吸込口を被覆する吸込口カバーと、
前記陳列室内に架設され、両側のスライドレールにより前方に引き出し可能とされた可動棚を備え、
前記吸込口カバーは、前記両側のスライドレールより内側に位置して前記断熱壁の開口下縁より上方まで起立し、その上壁には複数の通気孔が形成されていると共に、該吸込口カバーより後方の前記陳列室の底面は、前記底板により閉塞されていることを特徴とするオープンショーケース。
【請求項２】
前記吸込口カバーと前記底板は一体に構成されていることを特徴とする請求項１に記載のオープンショーケース。
【請求項３】
前記吸込口カバーの上壁は、斜め上前方に指向した後傾斜壁部と該後傾斜壁部の前側に位置して斜め上後方に指向した前傾斜壁部から成る断面Ｖ字状を呈し、前記通気孔は前記後傾斜壁部と前傾斜壁部にそれぞれ形成され、前記Ｖ字の中心線に対して対称となる位置に配置されていることを特徴とする請求項１又は請求項２に記載のオープンショーケース。
【請求項４】
前記吸込口カバーの上壁の底となる前記後傾斜壁部と前傾斜壁部との接続部は、前記断熱壁の開口下縁より上方に位置しており、当該上壁上の空間の両側端は、前記陳列室内に開放していることを特徴とする請求項３に記載のオープンショーケース。
【請求項５】
前記断熱壁の開口下縁より上方に位置する前記吸込口カバーの前壁は、広告面とされていることを特徴とする請求項１乃至請求項４のうちの何れかに記載のオープンショーケース。
【発明の詳細な説明】
【技術分野】
【０００１】
本発明は、前面に開口する断熱壁内に陳列室が構成され、この陳列室の開口上部の吐出口から冷気を吐出し、開口下部の吸込口から吸い込むことにより、当該陳列室の開口に冷気エアーカーテンを構成して成るオープンショーケースに関する。
【背景技術】
【０００２】
従来よりこの種のショーケースは、例えば特許文献１に示されるように、断面略コ字状の断熱壁の内側に間隔を存して仕切板と底板を設け、これらの内側を陳列室と成すと共に外側の断熱壁との間をダクトとしている。一方、断熱壁の開口上下縁にはダクトに連通した吐出口と吸込口をそれぞれ形成すると共に、背面に位置するダクト内には冷却器を、底板下方に位置するダクト内には送風機をそれぞれ設置し、この送風機により冷却器と熱交換した冷気を吐出口より吸込口に向かって吐出し、吸込口から吸い込むことによって開口に冷気のエアーカーテンを形成しつつ、陳列室内を冷却していた。
【０００３】
この際、エアーカーテンを形成する冷気をダクト内に吸い込む吸込口には、断熱壁の開口下縁と略同一の高さ若しくはこれよりも低い高さに位置して、複数のスリットが形成された吸込口カバーが形成されている。係る特許文献１の構成では、隔壁にて区画された後側に陳列室の上前方に向けて開口したスリットが形成され、その前側に当該スリットよりも更に陳列室前方に向けて開口したスリットが形成されている。
【０００４】
またこれ以外にも、図９に示すショーケース１００では、陳列室１０１と下部のダクト１０２内とを区画する底板１０３は、陳列室１０１内の最下段に架設される棚１０４と近接する位置に設けられると共に、その前部の一段下がった位置に断熱壁１０５の開口下縁１０６と略面一とされ、ダクト１０２の吸込口を被覆する吸込口カバー１０７が設けられている。当該吸込口カバー１０７の上面及び該吸込口カバー１０７よりも一段上がった位置の底板１０３前部には、複数の通気孔１０８、１０９が穿設されている。
【０００５】
しかしながら、係る構成では、断熱壁１０５の開口上縁に形成された吐出口に対し、通気孔１０８が形成された吸込口カバー１０７は、断熱壁１０５の開口下縁と略面一、若しくはこれよりも低い位置にまで下がった位置に設けられているため、エアーカーテンの上下の距離が大きくなり、エアーカーテンの乱れを招来する。これによって、湿気を多く含み温度の高い外気がエアーカーテンに巻き込まれ易くなり、ショーケースの冷却性能が低下する問題がある。
【０００６】
また、吸込口カバー１０７に形成される通気孔１０８の面積は、最下段の棚１０４の前端から断熱壁１０５の開口下縁１０６の後端までにおける略水平面に形成されるものに限られる。そのため、エアーカーテンを形成する冷気の吸込流量を十分に確保することができず、冷気漏洩を招く。
【０００７】
そこで、図１０に示すショーケース１１０では、底板１０３の前部を断熱壁１０５の開口下縁１０６に向けて低く傾斜した吸込口カバー１１１を形成し、係る上前方に向けて傾斜した吸込口カバー１１１に複数の通気孔１１２と、棚１０４の前部下方に位置する底板１０３に通気孔１０９が穿設されている。
【先行技術文献】
【特許文献】
【０００８】
【特許文献１】特開平７−９１８０７号公報
【発明の概要】
【発明が解決しようとする課題】
【０００９】
上記図１０の構成は、通気孔１１２が傾斜して設けられる吸込口カバー１１１に形成されることで、図９の水平に形成された構成と比較して、通気孔面積を拡大することができることとなる。しかしながら、上述した如き特許文献１の構成と同様に、各通気孔１１２（スリット）は、陳列室の上前方に向けて開口しているため、図１０において破線矢印にて示すように、陳列室１１の上前方からの空気を吸い込み易くなる。特に、図９、図１０に示すように、最下段の棚１０４の前部下方に位置する底板１０３にもダクトと連通する通気孔１０９が形成されているため、該通気孔１０９から吸い込まれる空気は、棚１０４の前部と底板１０３との間に潜り込むかたちで流入し、陳列室１１前方からの空気流入を促進する気流を形成してしまう。
【００１０】
陳列室の前面が大きく開口したオープンショーケースでは、当該開口の上縁から下縁に渡って冷気のエアーカーテンを整然と形成することで、陳列室内の冷気漏洩を抑制し、冷却性能の向上を実現するものであるが、このように、断熱壁の開口上縁において下方に向けて開口して形成される吐出口に対し、吸込口を被覆する吸込口カバーの各通気孔が陳列室の上前方に向けて形成されていると、陳列室の上前方の外気（暖気）をエアーカーテンに巻き込み外乱を生じさせ、陳列室内の冷気漏洩を招来すると共に、陳列室内への外気侵入が余儀なくされ、結果として冷却性能の悪化を招く問題がある。
【００１１】
そこで、本発明は従来の技術的課題を解決するために成されたものであり、陳列室の開口に冷気エアーカーテンを適切に構成し、陳列室内の冷気漏洩を抑制すると共に、冷却性能の向上を図ることができるオープンショーケースを提供する。
【課題を解決するための手段】
【００１２】
上記課題を解決するために、本発明のオープンショーケースは、前面に開口する断熱壁内に陳列室が構成され、この陳列室の開口上部の吐出口から冷気を吐出し、開口下部の吸込口から吸い込むことにより、当該陳列室の開口に冷気エアーカーテンを構成して成るものであって、陳列室の底板と、この底板と断熱壁との間に構成され、吸込口に連通するダクトと、底板の前側に位置して吸込口を被覆する吸込口カバーと、陳列室内に架設され、両側のスライドレールにより前方に引き出し可能とされた可動棚を備え、吸込口カバーは、両側のスライドレールより内側に位置して断熱壁の開口下縁より上方まで起立し、その上壁には複数の通気孔が形成されていると共に、この吸込口カバーより後方の陳列室の底面は、底板により閉塞されていることを特徴とする。
【００１３】
請求項２の発明は、上記発明において、吸込口カバーと底板は一体に構成されていることを特徴とする。
【００１４】
請求項３の発明は、上記各発明において、吸込口カバーの上壁は、斜め上前方に指向した後傾斜壁部とこの後傾斜壁部の前側に位置して斜め上後方に指向した前傾斜壁部から成る断面Ｖ字状を呈し、通気孔は後傾斜壁部と前傾斜壁部にそれぞれ形成され、Ｖ字の中心線に対して対称となる位置に配置されていることを特徴とする。
【００１５】
請求項４の発明は、上記発明において、吸込口カバーの上壁の底となる後傾斜壁部と前傾斜壁部との接続部は、断熱壁の開口下縁より上方に位置しており、当該上壁上の空間の両側端は、陳列室内に開放していることを特徴とする。
【００１６】
請求項５の発明は、上記各発明において、断熱壁の開口下縁より上方に位置する吸込口カバーの前壁は、広告面とされていることを特徴とする。
【発明の効果】
【００１７】
本発明によれば、前面に開口する断熱壁内に陳列室が構成され、この陳列室の開口上部の吐出口から冷気を吐出し、開口下部の吸込口から吸い込むことにより、当該陳列室の開口に冷気エアーカーテンを構成して成るオープンショーケースにおいて、陳列室の底板と、この底板と断熱壁との間に構成され、吸込口に連通するダクトと、底板の前側に位置して吸込口を被覆する吸込口カバーを備え、この吸込口カバーは断熱壁の開口下縁より上方まで起立し、その上壁には複数の通気孔が形成されているので、吸込口カバーの通気孔の位置を断熱壁の開口下縁より高くすることで、吐出口との距離を短くすることができる。
【００１８】
これにより、吐出口から吐出された冷気の多くを吸込口カバーに形成された通気孔によりダクト内に吸い込むことができ、エアーカーテンを形成する冷気の吸込流量を十分に確保することが可能となる。そのため、エアーカーテンを整然と形成することが可能となって、外気の巻き込みによる熱エネルギーのロスを低減でき、ショーケース全体の冷却性能の向上を図ることができる。
【００１９】
また、上記に加えて、この吸込口カバーより後方の陳列室の底面は、底板により閉塞されているため、陳列室内に架設される棚と底板との間に潜り込むかたちで吸い込まれることで形成される陳列室前方からの空気流入を促進する気流の発生を未然に回避することができる。そのため、陳列室前方からの外気の巻き込みを更に低減でき、より安定した冷気エアーカーテンの形成を実現することができる。
【００２０】
特に、陳列室内に架設され、両側のスライドレールにより前方に引き出し可能とされた可動棚を備え、吸込口カバーは、両側のスライドレールより内側に位置していることにより、可動棚を手前に引き出した際に、断熱壁の開口下縁より上方まで起立した吸込口カバーが当該可動棚の両側のスライドレールと干渉することを未然に回避することができる。
【００２１】
請求項２の発明によれば、上記発明に加えて、吸込口カバーと底板は一体に構成されていることにより、部品点数の削減を図ることができ、組立作業性が向上される。
【００２２】
請求項３の発明によれば、上記各発明に加えて、吸込口カバーの上壁は、斜め上前方に指向した後傾斜壁部とこの後傾斜壁部の前側に位置して斜め上後方に指向した前傾斜壁部から成る断面Ｖ字状を呈し、通気孔は後傾斜壁部と前傾斜壁部にそれぞれ形成され、Ｖ字の中心線に対して対称となる位置に配置されているので、後傾斜壁部と前傾斜壁部に形成された通気孔のそれぞれより上方の吐出口から吐出された冷気を吸い込むことができる。
【００２３】
この際、後傾斜壁部は、斜め上前方に指向して形成されているため、当該後傾斜壁部の通気孔より陳列室の前上方からの冷気を吸い込むこととなるが、その前方に設けられる前傾斜壁部は、斜め上後方に指向して形成されているため、当該前傾斜壁部の通気孔より後方から吸い込む冷気流が形成され、これによって、陳列室の前上方から吸い込む冷気流を補正することができ、吸込空気の流れを略吐出口の方向からの流れとすることが可能となる。
【００２４】
そのため、陳列室前方の外気をエアーカーテンに巻き込んでしまう不都合を著しく減少することができ、安定したエアーカーテンの形成を実現することが可能となり、結果として冷却性能の向上を図ることができる。
【００２５】
また、係る吸込口カバーは、このように断面Ｖ字状に形成されているため、手前側に位置する前傾斜壁部に形成された通気孔が、ショーケース前方から見えにくい構成とすることができ、冷却性能を確保するために多く形成された通気孔が外観に現れにくくなる。これにより、外観の向上を図ることができる。
【００２６】
請求項４の発明によれば、上記発明に加えて、吸込口カバーの上壁の底となる後傾斜壁部と前傾斜壁部との接続部は、断熱壁の開口下縁より上方に位置しており、当該上壁上の空間の両側端は、陳列室内に開放していることにより、後傾斜壁部と前傾斜壁部との接続部、即ち、Ｖ字状の底の部分に溜まったゴミを上壁上の空間の両側端から掃き出し、断熱壁の開口下縁に沿って外部に掃き出すことができる。これにより、吸込口カバーの清掃性を向上させることができる。
【００２７】
請求項５の発明によれば、上記各発明に加えて、断熱壁の開口下縁より上方に位置する吸込口カバーの前壁は、広告面とされていることにより、商品が陳列される棚により近い位置において商品の説明や広告等を表示でき、効果的なディスプレイを実現できる。
【図面の簡単な説明】
【００２８】
【図１】本発明を適用したショーケースの斜視図である。
【図２】ショーケースの正面図である。
【図３】ショーケースの縦断側面図である。
【図４】ショーケースの下部拡大縦断側面図である。
【図５】吸込口カバー部分の拡大斜視図である。
【図６】吸込口カバー部分の拡大斜視図である。
【図７】吸込口カバー及び底板の斜視図である。
【図８】図７の平面図である。
【図９】従来のオープンショーケースの下部拡大断面図である。
【図１０】従来のオープンショーケースの下部拡大断面図である。
【発明を実施するための形態】
【００２９】
以下、本発明の実施の形態について図面に基づき詳細に説明する。図１は本発明を適用したオープンショーケース１の斜視図、図２はオープンショーケース１の正面図、図３はオープンショーケース１の縦断側面図、図４はオープンショーケース１下部拡大縦断側面図、図５は吸込口カバー部分の拡大斜視図、図６は吸込口カバー部分の拡大斜視図、図７は吸込口カバー及び底板の斜視図、図８は図７の平面図をそれぞれ示している。
【００３０】
本発明のオープンショーケース１は前面に開口する断面略コ字状の断熱壁３と、その両側に取り付けられた側板４によって本体２が構成されており、この断熱壁３の内側には間隔を存して背面に背面パネル６が配設され、この背面パネル６と断熱壁３間にダクト９が形成されている。また、背面パネル６の下端には、前方に延在する底板１０、背面パネル６の上端には、断熱壁３の天井部３Ａと所定間隔を存して天井パネル７が設けられており、これら背面パネル６、底板１０及び天井パネル７の内側に前面に開口する陳列室８が構成されている。そして、底板１０の下方には断熱壁３の底壁３Ｂと所定間隔を存して、ダクト９に連通する下部ダクト１１が構成されている。
【００３１】
この陳列室８内には、上下に商品陳列用の複数段の可動棚２５・・・が架設されている。各可動棚２５は、左右に形成されると共に、貯蔵室８の背面に設けられた棚支柱に着脱自在に係止される図示しない一対のブラケットと、棚板２６などから構成され、当該棚板２６は両側に設けられたスライドレール２７、２７によりブラケットに対し、前方に引き出し可能（前後移動自在）とされている。
【００３２】
また、断熱壁３の下側には機械室２８が構成されており、この機械室２８内には後述する冷却器１５と共に冷却装置の冷凍サイクルを構成する図示しない圧縮機、凝縮器や凝縮器用送風機などが配設されている。この機械室２８の前面は、前面パネル２９にて開閉自在に閉塞されている。
【００３３】
一方、上記断熱壁３の前面開口１２の上縁には、下向きに開口し、整流部材としての図示しないハニカム材が取り付けられた吐出口１３が設けられている。この吐出口１３は、陳列室８の開口上部に位置し、ダクト９に連通している。ダクト９と連通して構成される下部ダクト１４の前端には、陳列室８の開口下部に位置して上面に開口する吸込口１６が設けられる。
【００３４】
底板１０の下方の下部ダクト１４内には、陳列室８内に冷気を供給するための冷却用送風機１７が配設され、陳列室８のダクト９内には冷却装置の冷凍サイクルを構成する冷却器１５が縦設されている。
【００３５】
ここで、底板１０及び吸込口１６を被覆する吸込口カバー１８について詳細に説明する。本実施例において、断熱壁３の底壁３Ｂとの間に所定間隔を存して下部ダクト１４を構成する底板１０は、断熱壁３の左右側端に渡って構成され、後述する吸込口カバー１８より後方の陳列室８の底面を閉塞する。
【００３６】
この底板１０は、図２においてＸにて示すように、断熱壁３の開口下縁１２Ａより所定寸法、高く配設され、その両端は、断熱壁３の開口下縁１２Ａと略同一の高さ寸法となるように一段低く折曲形成された段差部１０Ａとされる。本実施例では、当該段差部１０Ａは、陳列室８内の最下段に架設される可動棚２５の各スライドレール２７、２７を回避すべく、断熱壁３の側端から所定寸法（図２にてＹにて示す。）確保される。
【００３７】
また、この底板１０の後端は、図７に示すように、所定寸法上方に向けて折曲された後板１０Ｂとされ、この後板１０Ｂが、上記背面パネル６の前面に当接して配設されることで、下部ダクト１４内とダクト９内とが連通して構成される。
【００３８】
そして、本実施例では、この底板１０の前側に位置して上記吸込口１６を被覆する吸込口カバー１８が設けられる。ここでは、当該吸込口カバー１８は、底板１０の両段差部１０Ａ、１０Ａを除く両端部に渡って、前端に一体に構成されている。
【００３９】
即ち、この吸込口カバー１８は、底板１０と同様に、断熱壁３の開口下縁１２Ａより所定寸法、上方まで起立して構成され、その上壁１８Ａは、斜め上前方に指向した後傾斜壁部１９と、この後傾斜壁部１９の前側に位置して斜め上後方に指向した前傾斜壁部２０から成る断面Ｖ字状とされる。
【００４０】
これら後傾斜壁部１９と、前傾斜壁部２０のそれぞれには、当該断面Ｖ字の中心線（図８中、破線Ｔにて示す）に対して対象となる位置に、複数の通気孔１９Ａ・・、２０Ａ・・がそれぞれ形成されている。本実施例では、いずれの通気孔１９Ａ、２０Ａもそれぞれの傾斜壁部の傾斜方向に延在する長孔にて構成されている。そのため、限られた前後幅寸法において、各孔面積を拡大することができる。
【００４１】
そして、吸込口カバー１８の上壁１８Ａの底となるこれら後傾斜壁部１９と、前傾斜壁部２０との接続部１８Ｂは、該吸込口カバー１８と一体に構成される底板１０の段差部１０Ａより上方に位置して、当該上壁１８Ａ上の空間の両側端が、各段差部１０Ａ上に向けて開放して形成されている。即ち、後傾斜壁部１９と前傾斜壁部２０の接続部１８Ａは、断熱壁３の開口下縁１２Ａより上方に位置して、その両側端は、陳列室８内に開放して構成される。本実施例では、図２にて示すように、後傾斜壁部１９と前傾斜壁部２０との接続部１８Ｂは、所定寸法Ｚだけ、断熱壁の開口下縁１２Ａよりも高くなるように設定される。
【００４２】
また、当該吸込口カバー１８の前壁１８Ｃは、断熱壁３の開口下縁１２Ａより所定寸法、上方にまで起立して構成されるが、当該前面は、陳列室８下部において該陳列室８内に陳列される商品等の広告面（ＰＯＰ）とされる。
【００４３】
尚、当該吸込口カバー１８は、図４に示すように断熱壁３の開口下縁１２Ａよりも陳列室８側に位置しているため、当該吸込口カバー１８の前壁１８Ｃ等に、万一結露等が生じた場合であっても、当該前壁１８Ｃの前面や、後傾斜壁部１９、前傾斜壁部２０に沿って陳列室８側に落下し、ショーケース１外部を濡らすことなく適切に処理することが可能となる。
【００４４】
以上の構成により、下部ダクト１４内に配設された冷却用送風機１７が運転されると、ダクト９内に配設された冷却器１５にて冷却された冷気がダクト９内を上昇し、陳列室８の開口上部の吐出口１３から開口下部に向けて吐出される。そして、開口１２の下部に形成された吸込口１６より当該吐出された冷気が吸い込まれることによって、陳列室８の開口１２に冷気エアーカーテンが形成される。
【００４５】
このとき、本実施例では、吸込口１６を被覆する吸込口カバー１８は、断熱壁３の開口下縁１２Ａより上方まで起立し、その上壁１８Ａに複数の通気孔１９Ａ、２０Ａが形成されているので、エアーカーテンを形成する冷気を吸い込む通気孔位置を断熱壁３の開口下縁１２Ａよりも高くすることができ、これによって、吐出口１３との距離を短くすることができる。
【００４６】
そのため、吐出口１３から開口下部に向けて吐出された冷気の多くを吸込口カバー１８に形成された通気孔１９Ａ、２０Ａにより下部ダクト１４内に吸い込むことができ、エアーカーテンを形成する冷気の吸込流量を十分に確保することが可能となる。従って、エアーカーテンを整然と形成することが可能となって、外気の巻き込みによる熱エネルギーのロスを低減でき、ショーケース１全体の冷却性能の向上を図ることができる。
【００４７】
特に、本実施例では、この吸込口カバー１８より後方の陳列室８の底面は、底板１０により閉塞されているため、従来のように、陳列室８内の最下段に架設される棚２５と底板１０との間に潜り込むかたちで吸い込まれることで形成される陳列室８前方からの空気流入を促進する気流の発生を未然に回避することができる。
【００４８】
従って、陳列室８前方からの外気の巻き込みをより一層効果的に低減でき、より安定した冷気エアーカーテンの形成を実現することができる。
【００４９】
また、上述したように、吸込口カバー１８の上壁１８Ａは、斜め上前方に指向した後傾斜壁部１９とこの後傾斜壁部１９の前側に位置して斜め上後方に指向した前傾斜壁部２０から成る断面Ｖ字状を呈しているため、後傾斜壁部１９と前傾斜壁部２０のそれぞれに形成された通気孔１９Ａ、２０Ａより、上方の吐出口１３から吐出された冷気を吸い込むことができる。
【００５０】
この際、後傾斜壁部１９は、斜め上前方に指向して形成されているため、当該後傾斜壁部１９の通気孔１９Ａより陳列室８の前上方からの冷気を吸い込むこととなるが、その前方に設けられる前傾斜壁部２０は、斜め上後方に指向して形成されているため、当該前傾斜壁部２０の通気孔２０Ａより後方から吸い込む冷気流が形成され、これによって、陳列室８の前上方から吸い込む冷気流を補正することができ、吸込空気の流れを略吐出口１３の方向からの流れとすることが可能となる（図４の破線参照）。
【００５１】
そのため、陳列室８前方の外気をエアーカーテンに巻き込んでしまう不都合を著しく減少することができ、安定したエアーカーテンの形成を実現することが可能となり、結果として冷却性能の向上を図ることができる。
【００５２】
また、係る吸込口カバー１８は、このように左右に延在する断面Ｖ字状に形成されているため、手前側に位置する前傾斜壁部２０に形成された通気孔２０Ａが、ショーケース１前方から見えにくい構成とすることができ、冷却性能を確保するために多く形成された通気孔２０Ａが外観に現れにくくなる。これにより、外観の向上を図ることができる。
【００５３】
更に、吸込口カバー１８は、前面開口１２の下部に位置して断面Ｖ字状を呈しているため、係る上壁１８Ａの底となる後傾斜壁部１９と前傾斜壁部２０との接続部１８Ｂにゴミ等が溜まりやすくなるが、当該上壁１８Ａ上の空間の両端部は、底板１０の段差部１０Ａに向けて（陳列室８内に）開放されているため、当該ゴミを上壁１８Ａ上の空間の両側端から掃き出し、段差部１０Ａ上にて受け、当該段差部１０Ａの前端より断熱壁３の開口下縁１２Ａに沿って外部に掃き出すことができる。これにより、格別に吸込口カバー１８等を本体から取り外すことなく、安全に清掃することができる。
【００５４】
また、本実施例では、上述したように、底板１０は、断熱壁３の開口下縁１２Ａより所定寸法、高く配設され、その両端が断熱壁３の開口下縁１２Ａと略同一の高さ寸法となるように一段低く折曲形成された段差部１０Ａとされていると共に、吸込口カバー１８は、底板１０の両段差部１０Ａ、１０Ａを除く両端部に渡って、前端に一体に構成されている。
【００５５】
そのため、吸込口カバー１８は、陳列室８内に架設される可動棚２５の両側のスライドレール２７よりも内側に位置して構成されると共に、当該吸込口カバー１８の後方に延在する底板１０もその両側がスライドレール２７を回避した段差部１０Ａとされていることにより、最下段の可動棚２５を手前に引き出した際に、断熱壁３の開口下縁１２Ａより上方まで起立した吸込口カバー１８が当該可動棚２５の両側のスライドレール２７、２７と干渉することを未然に回避することができる。これにより、支障なく可動棚２５の手前への引き出しを行うことができる。
【００５６】
尚、本実施例では、上述した如き吸込口カバー１８は底板１０は一体に構成されているため、部品点数の削減を図ることができ、組立作業性が向上される。
【００５７】
そして、吸込口カバー１８の前壁１８Ｃは、断熱壁３の開口下縁１２Ａより上方に起立しているが、上述したように広告面として使用することによって、商品が陳列される棚２５により近い位置において商品の説明や当該商品のメーカーの広告等を表示でき、効果的なディスプレイを実現できる。
【符号の説明】
【００５８】
１    オープンショーケース
２    本体
３    断熱壁
６    背面パネル
８    陳列室
９    ダクト
１０    底板
１０Ａ  段差部
１１    下部ダクト
１２    前面開口
１２Ａ  下縁
１３    吐出口
１４    下部ダクト（ダクト）
１５    冷却器
１６    吸込口
１７    冷却用送風機
１８    吸込口カバー
１８Ａ  上壁
１８Ｂ  接続部
１８Ｃ  前壁
１９    後傾斜壁部
１９Ａ、２０Ａ  通気孔
２０    前傾斜壁部
２５    可動棚
２７    スライドレール
【図１】
0005736542.tif 000002
【図２】
0005736542.tif 000003
【図３】
0005736542.tif 000004
【図４】
0005736542.tif 000005
【図５】
0005736542.tif 000006
【図６】
0005736542.tif 000007
【図７】
0005736542.tif 000008
【図８】
0005736542.tif 000009
【図９】
0005736542.tif 000010
【図１０】
0005736542.tif 000011